【手続補正書】
【提出日】平成19年5月23日(2007.5.23)
【手続補正１】
【補正対象書類名】明細書
【補正対象項目名】発明の名称
【補正方法】変更
【補正の内容】
【発明の名称】発光装置及びその作製方法
【手続補正２】
【補正対象書類名】特許請求の範囲
【補正対象項目名】全文
【補正方法】変更
【補正の内容】
【特許請求の範囲】
【請求項１】
信号線と、走査線と、前記信号線及び前記走査線上に設けられた第１の絶縁膜と、前記第１の絶縁膜を覆う第２の絶縁膜と、前記第２の絶縁膜の開口部に設けられた発光層と、前記発光層に電圧を印加する第１の電極及び第２の電極と、を少なくとも有し、
前記第１の電極は、前記第１の絶縁膜上に設けられ、
前記第２の電極は、前記発光層上に設けられ、
前記第２の電極は、補助配線に電気的に接続されることを特徴とする発光装置。
【請求項２】
信号線と、走査線と、前記信号線及び前記走査線上に設けられた第１の絶縁膜と、前記第１の絶縁膜を覆う第２の絶縁膜と、前記第２の絶縁膜の開口部に設けられた発光層と、前記発光層に電圧を印加する第１の電極及び第２の電極と、前記第１の電極、及び前記第２の電極を外部回路に接続する引き回し配線と、を少なくとも有し、
前記第１の電極は、前記第１の絶縁膜上に設けられ、
前記第２の電極は、前記発光層上に設けられ、
前記第２の電極は、補助配線に電気的に接続され、
前記引き回し配線は、前記補助配線と同一材料、且つ同一層に設けられたことを特徴とする発光装置。
【請求項３】
信号線と、走査線と、高電位電圧を供給する電源線と、前記信号線、前記走査線、及び前記電源線上に設けられた第１の絶縁膜と、前記第１の絶縁膜を覆う第２の絶縁膜と、前記第２の絶縁膜の開口部に設けられた発光層と、前記発光層に電圧を印加する第１の電極及び第２の電極と、前記第１の電極、及び前記第２の電極を外部回路に接続する引き回し配線と、を少なくとも有し、
前記第１の電極は、前記第１の絶縁膜上に設けられ、
前記第２の電極は、前記発光層上に設けられ、
前記電源線は、前記発光層の発光色毎に設けられ、
前記第２の電極は、補助配線に電気的に接続され、
前記引き回し配線は、前記補助配線と同一材料、且つ同一層に設けられたことを特徴とする発光装置。
【請求項４】
請求項１乃至３のいずれか一において、前記補助配線は、前記信号線と同一材料、且つ同一層に設けられたことを特徴とする発光装置。
【請求項５】
請求項１乃至３のいずれか一において、前記補助配線は、前記走査線と同一材料、且つ同一層に設けられたことを特徴とする発光装置。
【請求項６】
請求項１乃至５のいずれか一において、前記第１の絶縁膜は有機材料又は無機材料を有することを特徴とする発光装置。
【請求項７】
請求項１乃至６のいずれか一において、前記第２の絶縁膜は有機材料又は無機材料を有することを特徴とする発光装置。
【請求項８】
半導体膜を形成し、
前記半導体膜上に第１の絶縁膜を形成し、
前記第１の絶縁膜上に、補助配線を形成し、
前記第１の絶縁膜、及び前記補助配線上に第２の絶縁膜を形成し、
前記第２の絶縁膜に開口部を形成して、前記補助配線を露出させ、
前記補助配線上に発光層を形成し、
前記発光層上に前記発光層に電圧を印加する一方の電極を形成する発光装置の作製方法であって、
前記発光層は前記補助配線の表面の一部を除いて形成され、前記一部を介して前記補助配線と、前記電極とが電気的に接続することを特徴とする発光装置の作製方法。
【請求項９】
半導体膜を形成し、
前記半導体膜上に第１の絶縁膜を形成し、
前記第１の絶縁膜上に、補助配線を形成し、
前記第１の絶縁膜、及び前記補助配線上に第２の絶縁膜を形成し、
前記第２の絶縁膜に開口部を形成して、前記補助配線を露出させ、
前記補助配線上に発光層を形成し、
前記発光層上に前記発光層に電圧を印加する一方の電極を形成する発光装置の作製方法であって、
前記発光層は前記補助配線の上面のみに形成され、前記補助配線の側面と、前記電極とが電気的に接続することを特徴とする発光装置の作製方法。
【請求項１０】
半導体膜を形成し、
前記半導体膜上に第１の絶縁膜を形成し、
前記第１の絶縁膜上に、補助配線を形成し、
前記第１の絶縁膜、及び前記補助配線上に第２の絶縁膜を形成し、
前記第２の絶縁膜に第１の開口部及び第２の開口部を形成して、前記第２の開口部から前記補助配線を露出させ、
前記第１の開口部を覆って導電膜を形成し、前記導電膜をパターニングして第１の電極を形成し、
前記第１の電極、及び前記補助配線上に第３の絶縁膜を形成し、
前記第３の絶縁膜に形成された開口部に発光層を形成し、
前記発光層上に前記発光層に電圧を印加する第２の電極を形成する発光装置の作製方法であって、
前記発光層は前記第１の電極の表面、及び前記補助配線の表面の一部を除いて形成され、
前記一部を介して前記補助配線と、前記第２の電極とが電気的に接続することを特徴とする発光装置の作製方法。
【請求項１１】
半導体膜を形成し、
前記半導体膜上に第１の絶縁膜を形成し、
前記第１の絶縁膜上に、補助配線を形成し、
前記第１の絶縁膜、及び前記補助配線上に第２の絶縁膜を形成し、
前記第２の絶縁膜に第１の開口部及び第２の開口部を形成して、前記第２の開口部から前記補助配線を露出させ、
前記第１の開口部を覆って導電膜を形成し、前記導電膜をパターニングして第１の電極を形成し、
前記第１の電極、及び前記補助配線上に第３の絶縁膜を形成し、
前記第３の絶縁膜に形成された開口部に発光層を形成し、
前記発光層上に前記発光層に電圧を印加する第２の電極を形成する発光装置の作製方法であって、
前記発光層は前記補助配線の上面のみに形成され、前記補助配線の側面と、前記電極とが電気的に接続することを特徴とする発光装置の作製方法。
【請求項１２】
請求項８乃至１１のいずれか一において、前記第２の絶縁膜は有機材料を有し、有機材料は、アクリル、ポリイミド、及びレジストのいずれかであることを特徴とする発光装置の作製方法。
【請求項１３】
半導体膜を形成し、
前記半導体膜上に第１の絶縁膜を形成し、
前記第１の絶縁膜上に、補助配線を形成し、
前記第１の絶縁膜、及び前記補助配線上に有機材料を有する溶液を塗布し、前記有機材料を加熱して焼成し、前記焼成された有機材料を露光して、第１の開口部及び第２の開口部を有する第２の絶縁膜を形成して、前記第２の開口部から前記補助配線を露出させ、
前記第１の開口部を覆って導電膜を形成し、前記導電膜をパターニングして第１の電極を形成し、
前記第１の電極、及び前記補助配線上に第３の絶縁膜を形成し、
前記第３の絶縁膜に形成された開口部に発光層を形成し、
前記発光層上に前記発光層に電圧を印加する第２の電極を形成する発光装置の作製方法であって、
前記発光層は前記第１の電極の表面、及び前記補助配線の表面の一部を除いて形成され、
前記一部を介して前記補助配線と、前記第２の電極とが電気的に接続することを特徴とする発光装置の作製方法。
【請求項１４】
半導体膜を形成し、
前記半導体膜上に第１の絶縁膜を形成し、
前記第１の絶縁膜上に、補助配線を形成し、
前記第１の絶縁膜、及び前記補助配線上に有機材料を有する溶液を塗布し、前記有機材料を加熱して焼成し、前記焼成された有機材料を露光して、第１の開口部及び第２の開口部を有する第２の絶縁膜を形成して、前記第２の開口部から前記補助配線を露出させ、
前記第１の開口部を覆って導電膜を形成し、前記導電膜をパターニングして第１の電極を形成し、
前記第１の電極、及び前記補助配線上に第３の絶縁膜を形成し、
前記第３の絶縁膜に形成された開口部に発光層を形成し、
前記発光層上に前記発光層に電圧を印加する第２の電極を形成する発光装置の作製方法であって、
前記発光層は前記補助配線の上面のみに形成され、前記補助配線の側面と、前記電極とが電気的に接続することを特徴とする発光装置の作製方法。
【請求項１５】
請求項１３又は１４において、前記有機材料は、アクリル、ポリイミド、及びレジストのいずれかであることを特徴とする発光装置の作製方法。